(57)【特許請求の範囲】
【請求項１】
長辺部を有する樹脂製の反転部材と、
前記長辺部と一端で繋がった複数の櫛歯と、
前記長辺部の長手方向中央部が凸となるように前記反転部材が湾曲した状態を保持する連結部材と、
を備え、
前記連結部材で保持された前記反転部材の反転により、前記櫛歯が前記反転部材または前記連結部材と近接した状態及び離間した状態に変更され、
前記長辺部の前記長手方向中央部の厚み寸法が長手方向両端部の厚み寸法より大きく形成され、
前記長辺部の厚み寸法が、前記長手方向両端部から前記長手方向中央部に向けて連続的に増加していることを特徴とする留め具。
【請求項２】
前記長手方向中央部の厚み寸法が前記長手方向両端部の厚み寸法より１５〜３５％の範囲で大きく形成されていることを特徴とする請求項１に記載の留め具。
【請求項３】
前記櫛歯が、前記長辺部と繋がった根元部分及び先端部分の間に屈曲部を有することを特徴とする請求項１または２に記載の留め具。
【請求項４】
前記櫛歯の前記反転部材または前記連結部材と対向する側に凹凸部を有し、前記反転部材または前記連結部材の前記凹凸部と対応する位置に摩擦部材を有することを特徴とする請求項３に記載の留め具。
【請求項５】
前記反転部材が、前記長辺部の前記長手方向両端部から同じ方向に伸びた２つの短辺部を有する略コの字形の平面形状を有し、
前記連結部材が、前記２つの短辺部の自由端の距離が縮まるように該自由端を連結することを特徴とする請求項１から４の何れか１項に記載の留め具。
【請求項６】
前記長辺部の長手方向と前記短辺部の長手方向とが７５〜８０度の範囲の角度をなすことを特徴とする請求項５に記載の留め具。
【発明の詳細な説明】
【技術分野】
【０００１】
本発明は、対象物を挟み込んで固定する留め具であって、特に、擬毛が植設されたかつらベースを使用者の頭部に固定するために適用可能な留め具に関する。
【背景技術】
【０００２】
擬毛が植設されたかつらベースを使用者の頭部に固定するため、かつら用の留め具が用いられる場合がある。このかつら用留め具は、縫い糸等によりかつらベースの裏面側（使用者の頭部に接する側）に取り付けられ、かつら用留め具で使用者の毛髪を挟み込むことにより、かつらベースを使用者の頭部に固定することができる。そのようなかつら用留め具の中には、ポリアミドイミド等の樹脂材料からなる反転部材を用いたものが提案されている（例えば、特許文献１参照）。
【先行技術文献】
【特許文献】
【０００３】
【特許文献１】特開２０１４−１２２４５９号
【発明の概要】
【発明が解決しようとする課題】
【０００４】
特許文献１に記載のかつら用留め具では、ベース部と称する反転部材の離間した部分を引き寄せた状態でリベットを用いて連結することにより、凹状及び凸状に反転可能な反転部材が形成される。このようにして形成された樹脂製のかつら用留め具は、金属探知機の反応や金属アレルギを回避できるといった利点を有する。
しかし、樹脂製の反転部材は、金属製の反転部材に比べて弾性力が小さいため、反転させた凹状または凸状の状態を保持することが困難であり、結果として、実用性のあるかつら用留め具を実現するは困難である。
【０００５】
本発明の目的は、上記の課題を解決するものであり、樹脂製の反転部材を有する場合であっても、反転し易く、かつ反転した状態を確実に保持可能な留め具を提供することを目的とする。  
【課題を解決するための手段】
【０００６】
上記の課題を解決するため、本発明に係る留め具は、
長辺部を有する樹脂製の反転部材と、
前記長辺部と一端で繋がった複数の櫛歯と、
前記長辺部の長手方向中央部が凸となるように前記反転部材が湾曲した状態を保持する連結部材と、
を備え、
前記連結部材で保持された前記反転部材の反転により、前記櫛歯が前記反転部材または前記連結部材と近接した状態及び離間した状態に変更され、
前記長辺部の前記長手方向中央部の厚み寸法が長手方向両端部の厚み寸法より大きく形成されている。  
【発明の効果】
【０００７】
以上のように、本発明においては、反転部材が樹脂製であっても、反転し易くかつ反転した状態を確実に保持可能な留め具を提供することを目的とする。
【図面の簡単な説明】
【０００８】
【図１】本発明の１つの実施形態に係る反転部材及びその取り付け部材を示す、（ａ）は模式的な平面図であり、（ｂ）は模式的な側面図である。
【図２】本発明の１つの実施形態に係る留め具を示す模式的な平面図である。
【図３】本発明の１つの実施形態に係る留め具における櫛歯が閉じた状態及び櫛歯が開いた状態を模式的に示す側面図である。
【図４】本発明のその他の実施形態に係る反転部材及びその取り付け部材を模式的な平面図である。
【図５】本発明に係る留め具の実施例を示す平面図（写真）である。
【図６】本発明に係る留め具の実施例を示す側面図（写真）である。
【図７】本発明に係る留め具の実施例を示す斜視図（写真）である。
【図８】本発明に係る留め具が取り付けられたかつらを模式的に示す平面図である。
【図９】留め具の応力解析に基づく荷重分布図である。
【発明の詳細な説明】
【０００９】
はじめに、本発明の全般的な説明として、本発明の実施態様に係る留め具について記載する。
本発明の実施態様１に係る留め具では、
長辺部を有する樹脂製の反転部材と、前記長辺部と一端で繋がった複数の櫛歯と、
前記長辺部の長手方向中央部が凸となるように前記反転部材が湾曲した状態を保持する連結部材と、を備え、前記連結部材で保持された前記反転部材の反転により、前記櫛歯が前記反転部材または前記連結部材と近接した状態及び離間した状態に変更され、
前記長辺部の前記長手方向中央部の厚み寸法が長手方向両端部の厚み寸法より大きく形成されている。
【００１０】
本実施態様では、反転部材が１つの長辺部のみを有する場合も、長辺部の両側に短辺部を有する場合（図１参照）も、更に１つの長辺部に対向する他の長辺部を有する場合（図４参照）もあり得る。
長辺部の長手方向中央部は、長辺部の中央を意味する場合及びその近傍の領域も含む場合があり得る。同様に、長手方向両端部は、長辺部の最端部を意味する場合及びその近傍の領域も含む場合があり得る。仮に近傍の領域を含んだ場合であっても、その領域内での厚み寸法の変化はわずかである。例えば、長辺部の略中央を長手方向中央部とし、後述するような長辺部の両側の短辺部と繋がった領域を長手方向両端部とすることが考えられる。
【００１１】
本実施態様では、連結部材により、長辺部の長手方向中央部が凸となるように反転部材が湾曲した状態が保持されており、連結部材で保持された反転部材を、凹凸が逆になるように反転させることにより、櫛歯が反転部材または連結部材と近接した状態（つまり櫛歯が閉じた状態）、及び櫛歯が反転部材または連結部材から離間した状態（つまり櫛歯が開いた状態）に変更することができる。
よって、櫛歯が開いた状態にした後、開いた空間に毛髪等を挿入し、その後、反転部材を反転させて櫛歯が閉じた状態に変更することにより、毛髪等を櫛歯及び反転部材または連結部材の間に挟み込むことができる。例えば、この留め具を擬毛が植設されたかつらベースに取り付けた場合には、使用者の毛髪を留め具で挟み込むことによって、このかつらベースを使用者の頭に固定することができる。
【００１２】
本実施態様では、反転部材の長辺部の長手方向中央部が厚く形成されているので、反転部材が反転した各々の状態（櫛歯が閉じた状態及び開いた状態）を保持するのに十分な弾性力（バネ力）を有することができ、最も高い応力のかかる長手方向中央部の応力を緩和させることもできる。同時に、長手方向両端部が薄く形成されているので、比較的小さな力で反転部材を反転させることができる。
よって、反転部材が樹脂製であっても、反転し易くかつ反転した状態を確実に保持可能な留め具を提供することができる。
【００１３】
本発明の実施態様２に係る留め具は、上記の実施態様１において、
前記長手方向中央部の厚み寸法が前記長手方向両端部の厚み寸法より１５〜３５％の範囲で大きく形成されている。
【００１４】
本実施態様では、長手方向中央部の厚み寸法が長手方向両端部の厚み寸法より１５〜３５％の範囲で大きく形成されているので、反転した状態の保持力及び高い操作性を確実に得ることができる。
【００１５】
本発明の実施態様３に係る留め具は、上記の実施態様１または２において、
前記長辺部の厚み寸法が、前記長手方向両端部から前記長手方向中央部に向けて連続的に増加している。
【００１６】
本実施態様では、長辺部の厚み寸法が、長手方向両端部から長手方向中央部に向けて連続的に増加しているので、反転部材を反転させるときの応力集中を軽減でき、反転時における滑らかな操作性が期待できる。よって、耐久性及び操作性に優れた留め具を提供することができる。
【００１７】
本発明の実施態様４に係る留め具は、上記の実施態様１から３の何れかにおいて、
前記櫛歯が、前記長辺部と繋がった根元部分及び先端部分の間に屈曲部を有する。
【００１８】
本実施態様では、櫛歯が屈曲部を有するので、例えば、櫛歯の根元部分における開口角度を大きくしてより多くの毛髪等を挿入可能にするとともに、屈曲部から先端部分の開口角度を小さくして、櫛歯の先端部分が持ち上がり過ぎるのを防ぐことができる。よって、より多くの毛髪等を挿入可能なコンパクトな留め具を提供できる。
【００１９】
本発明の実施態様５に係る留め具は、上記の実施態様４において、
前記櫛歯の前記反転部材または前記連結部材と対向する側に凹凸部を有し、前記反転部材または前記連結部材の前記凹凸部と対応する位置に摩擦部材を有する。
【００２０】
本実施態様では、櫛歯が反転部材または連結部材に近接した櫛歯が閉じた状態において、凹凸部によって確実に毛髪等を保持することができる。更に、凹凸部及び摩擦部材で毛髪等を挟み込むことによって、より高い摩擦力でより確実に毛髪等を保持することができる。
【００２１】
本発明の実施態様６に係る留め具は、上記の実施態様１から５の何れかにおいて、
前記反転部材が、前記長辺部の前記長手方向両端部から同じ方向に伸びた２つの短辺部を有する略コの字形の平面形状を有し、前記連結部材が、前記２つの短辺部の自由端の距離が縮まるように該自由端を連結する。
【００２２】
本実施態様では、連結部材が長辺部と繋がった２つの短辺部の自由端を連結するので、連結部材で反転部材の反転を干渉することなく、反転部材の湾曲状態を確実に保持することができる。
【００２３】
本発明の実施態様７に係る留め具は、上記の実施態様６において、
前記長辺部の長手方向と前記短辺部の長手方向とが７５〜８０度の範囲の角度をなす。
【００２４】
本実施態様では、長辺部の長手方向と短辺部の長手方向とが７５〜８０度の範囲の角度をなすので、十分な弾性力（バネ力）及び反転のしやすさを両立させた留め具を提供することができる。なお、短辺部の外形を滑らかな曲線形状とすることによって、十分な弾性力（バネ力）及び反転のしやすさを更に促進させることができる。
【００２５】
次に、本発明の実施形態に係る留め具について、以下に図面を用いながら詳細に説明する。
(１つの実施形態に係る留め具の説明）
図１から図３を参照しながら、本発明の１つの実施形態に係る留め具の説明を行う。まず、留め具の主要部材である反転部材について詳細に説明し、その後、留め具全体について詳細に説明する。
【００２６】
図１は、本発明の１つの実施形態に係る反転部材及びその取り付け部材を示す、（ａ）は模式的な平面図であり、（ｂ）は模式的な側面図である。図２は、本発明の１つの実施形態に係る留め具を示す模式的な平面図である。図３は、本発明の１つの実施形態に係る留め具における櫛歯が閉じた状態及び櫛歯が開いた状態を模式的に示す側面図である。
【００２７】
＜１つの実施形態に係る反転部材の説明＞
図１は、湾曲させる前の初期状態における反転部材４、連結部材８及びワッシャ１６を模式的に示す。反転部材４は、弾性材料である樹脂材料から形成される。反転部材４に用いる樹脂材料として、ポリエチレン、ポリプロピレン、フェノール樹脂、エポキシ樹脂、シリコン樹脂、 ＦＲＰ等を例示することができるが、これに限られるものではない。
【００２８】
図１に示すように、反転部材４は長辺部４ａを有し、長辺部４ａには複数の櫛歯６が繋がっている。櫛歯６は、その一端で長辺部４ａに繋がった軸部６ａと、長辺部４ａに繋がった側と反対側の軸部６ａの自由端側に備えられた頭部６ｂとを有する。頭部６ｂの外径は、軸部６ａの外径よりも大きく形成されている。本実施形態では、櫛歯６は一体成型で長辺部４ａに設けられているが、これに限られるものではなく、別部材として形成された櫛歯６を、接着や固定部材を用いて長辺部４ａに取り付けることもできる。
【００２９】
反転部材４は、長辺部４ａの長手方向両端部Ｑから同じ方向に伸びた短辺部４ｂ及び短辺部４ｃを有する略コの字形の平面形状を有する。図１（ａ）の下側の矢視Ａ−Ａ図に示すように、短辺部４ｂの自由端側に突起部１２を備える。同様に、短辺部４ｃの自由端側にも突起部１２を備える。短辺部４ｂの突起部１２と短辺部４ｃの突起部１２との間の距離がＷ１となるように形成されている。一方、連結部材８の両側には、Ｗ２の間隔で２つの連結穴１４が設けられている。Ｗ２の寸法はＷ１より小さくなっている。連結穴１４の穴径は、突起部１２がスムーズに挿入できるように、突起部１２の外径よりもわずかに大きく形成されている。
また、反転部材４の全体に４個の取付用穴２４が設けられている。取付用穴２４に縫い糸等を通して、留め具２をかつらベース等に縫い付けることができる。  
【００３０】
ここで、２つの短辺部４ｂ、４ｃの自由端の距離が縮まるように、更に詳細に述べれば、２つの短辺部４ｂ、４ｃの突起部１２の間の距離Ｗ１がＷ２まで縮まるように（図１の点線矢印参照）、反転部材４を湾曲させる。このとき、反転部材４は、平面形状において、長辺部４ａとの接続部分を中心に短辺部４ｂが時計回りに、短辺部４ｃが反時計回りに傾くとともに、長辺部４ａがその平面形状と直交する方向（紙面と直交する方向）に湾曲する。
【００３１】
次に、反転部材４の湾曲により距離がＷ１からＷ２に縮まった２つの突起部１２を、それぞれ連結部材８の両端の２つの連結穴１４に挿入する。その後、突起部１２が挿入された連結部材８の上から、ワッシャ１６を突起部１２にはめ込むことにより、突起部１２及び連結穴１４の連結部分が外れないようにすることができる。更に、接着剤等により、ワッシャ１６を突起部１２に固定することもできる。
ここで、反転部材４やワッシャ１６は、反転部材４と同様に樹脂材料で形成することができる。ただし、これに限られるものはなく、金属材料等で形成することもできる。  
【００３２】
２つの短辺部４ｂ、４ｃの突起部１２の間の距離Ｗ１がＷ２まで縮まるようにすることにより、両端部Ｑで２つの短辺部４ｂ、４ｃに繋がった長辺部４ａは、長手方向中央部Ｐが凸となるように湾曲する。つまり、長辺部４ａの長手方向中央部Ｐが紙面に対して上方または下方向に凸となるように湾曲する。
そして、連結部材８により、長辺部４ａの長手方向中央部Ｐが凸となるように湾曲した状態を保持することができるので、図２に示すような反転部材４を有する留め具２を実現できる。
連結部材８で保持された反転部材４を反転させることにより、長手方向中央部Ｐが紙面に対して上側に凸となるような状態及び長手方向中央部Ｐが紙面に対して下側に凸となるような状態に切り替えることができる。
【００３３】
反転部材４を湾曲させる度合いを、２つの短辺部４ｂ、４ｃの自由端の距離が縮まる度合い、つまりＷ２のＷ１に対する比率であるＷ２／Ｗ１で示すことができる。試験の結果、Ｗ２／Ｗ１の値として、７０〜９０％が好ましく、８０〜９０％がより好ましく、８０〜８５％が更に好ましいことを知見した。
本実施形態では、連結部材８が長辺部４ａと繋がった２つの短辺部４ｂ、４ｃの自由端を連結するので、連結部材８で反転部材４の反転を干渉することなく、反転部材４の湾曲状態を確実に保持することができる。
【００３４】
＜反転部材の変形の説明＞
反転部材が金属材料からなる場合には、反転部材４を、長辺部４ａの長手方向中央部Ｐの凹凸が逆向きになるように反転させたとき、反転させた各々の状態を容易に保持することができる。しかし、反転部材が樹脂材料からなる場合には、弾性力が金属に比べて小さいので、各々の状態を保持することが困難である。
【００３５】
ここで、留め具の応力解析に基づく荷重分布図を図９に示す。図９において、長辺部の中央のＥ１で示された領域が最も高い応力を示し、その周囲のＥ２で示された領域が次に高い応力を示し、更にその周囲のＥ３で示された領域がその次に高い応力を示し、一番外周側のＥ４で示された領域の応力が最も低い。各領域Ｅ１〜Ｅ４は、所定の応力値を境界（一点鎖線）として区切られた領域であり、各領域Ｅ１〜Ｅ４の中で、中心側から周囲側に向けて連続的に応力が低下している。
実際の試験結果及び図９に示す解析の結果、長辺部の櫛歯６が繋がった面の中央部に大きな応力がかかり、耐久性でも問題が生じることが判明した。
【００３６】
反転部材の厚み寸法を大きくすれば弾性力が増すので、各々の状態を保持する可能性が高まる。しかし、むやみに反転部材の厚み寸法を大きくすると、反転部材を反転させるのに要する力が大きくなって、操作性が低下する可能性がある。また、反転部材を反転させるときに、反転部材及び連結部材の連結部分に大きな応力がかかって破損する可能性も高まる。
【００３７】
そこで、本実施形態では、図１（ａ）の矢印Ｂから見た側面図である図１（ｂ）に示すように、長辺部４ａの長手方向中央部Ｐの厚み寸法Ｔ１が長手方向両端部Ｑの厚み寸法Ｔ２より大きく形成されている。なお、図１（ｂ）では、長辺部の長手方向の厚み寸法の差を強調して示してある。
これにより、長辺部４ａの長手方向中央部Ｐが厚く形成されているので、反転部材４が反転した各々の状態を保持するのに十分な弾性力（バネ力）を有し、最も高い応力のかかる長手方向中央部Ｐの応力を緩和させることもできる。同時に、長手方向両端部Ｑが薄く形成されているので、比較的小さな力で反転部材４を反転させることができる。よって、反転部材４が樹脂製であっても、反転し易くかつ反転した状態を確実に保持可能な反転部材４（つまり留め具２）を提供することができる。
【００３８】
本実施形態では、長手方向中央部Ｐの厚み寸法Ｔ１が１．２７ｍｍ、長手方向両端部Ｑの厚み寸法Ｔ２が１ｍｍとなっている。様々なＴ１、Ｔ２の値における応力解析及び試験の結果、長手方向中央部Ｐの厚み寸法Ｔ１が長手方向両端部の厚み寸法Ｔ２より１５〜３５％の範囲で大きい場合が好ましく、２０〜３０％の範囲で大きい場合がより好まく、２５〜３０％の範囲で大きい場合が更に好ましいことを知見した。このような範囲に収めることにより、反転した状態の保持力及び高い操作性を確実に得ることができる。
【００３９】
更に、本実施形態では、図１（ｂ）に示すように、長辺部４ａの厚み寸法が、長手方向両端部Ｑから長手方向中央部Ｐに向けて連続的に増加している。これにより、反転部材４を反転させるときの応力集中を軽減でき、反転時における滑らかな操作性が期待できる。よって、耐久性及び操作性に優れた留め具２を提供することができる。
【００４０】
更に、本実施形態では、図１（ａ）に示すように、矢印Ｘで示す長辺部４ａの長手方向と矢印Ｙで示す短辺部４ｂ、４ｃの長手方向とが角度θをなしている。角度θは、９０度よりもやや小さい角度とし、短辺部４ｂ、４ｃの外形を滑らかな曲線形状とすることによって、十分な弾性力（バネ力）及び反転のしやすさを両立させることができる。いろいろな応力解析及び試験の結果、長辺部４ａの長手方向（矢印Ｘ参照）と短辺部４ｂ、４ｃの長手方向（矢印Ｙ参照）と間の角度θが７５〜８０度の範囲である場合に、十分な弾性力（バネ力）及び反転のしやすさの点で好ましい結果が得られることを知見した。
【００４１】
角度θが７５度未満の場合には、反転した各々の状態を保持するための弾性力（バネ力）が増すが、耐久性が低下する傾向にある。一方、角度θが８０度を越える場合には、十分な耐久性は有するが、反転した各々の状態を保持するための弾性力（バネ力）が低下する傾向にある。以上を考慮すると、角度θが７５〜８０度の範囲である場合が、弾性力（バネ力）及び耐久性の両方においてバランスのとれた好ましい状態であるといえる。
【００４２】
＜１つの実施形態に係る留め具の説明＞
本実施形態では、櫛歯６が長辺部４ａに対して適切な角度で繋がるように形成することにより、連結部材８で保持された反転部材４を反転させることにより、櫛歯６が連結部材８と近接した状態、つまり櫛歯６が閉じた状態、及び櫛歯６が連結部材８から離間した状態、つまり櫛歯６が開いた状態に変更することができる。
【００４３】
このことを、図３を用いて説明する。図３（ａ）及び（ｂ）は、留め具２を図２の矢印Ｂから見た側面図であり、（ａ）は櫛歯６が閉じた状態を示し、（ｂ）は櫛歯６が開いた状態を示す。ただし、図３では、図２に対して上下を逆さまに示してある。図２では櫛歯６が連結部材８の下側に位置しているが、図３では櫛歯６が連結部材８の上側に位置するように示してある。
図３（ｃ）は、留め具２を図３（ａ）の矢印Ｃから見た櫛歯６が閉じた状態を示す断面図である。図３（ｄ）は、留め具２を図３（ｂ）の矢印Ｄから見た櫛歯６が開いた状態を示す断面図である。
【００４４】
図３（ａ）に示すように、長辺部４ａの長手方向中央部Ｐが図面で下側が凸となるように反転部材４を湾曲させた状態では、図３（ｃ）に示すように、櫛歯６の軸部６ａが連結部材８に近接した（ほぼ接した）閉じた状態になる。一方、図３（ｂ）に示すように、長辺部４ａの長手方向中央部Ｐが図面で上側が凸となるように反転部材４を湾曲させた状態では、図３（ｄ）に示すように、櫛歯６の軸部６ａが連結部材８から離間した開いた状態になる。
【００４５】
これにより、櫛歯６の軸部６ａが連結部材８から離間した開いた状態にした後（図３（ｄ）参照）、開いた空間に毛髪等を挿入し、その後、反転部材４を反転させて、櫛歯６の軸部６ａが連結部材８と近接した状態に変更することにより（図３（ｃ）参照）、毛髪等を櫛歯６の軸部６ａ及び連結部材８の間に挟み込むことができる。例えば、取付用穴２４を用いて留め具２を擬毛が植設されたかつらベースに取り付けた場合には、使用者の毛髪を留め具２で挟み込むことによって、かつらベースを使用者の頭に固定することができる。
【００４６】
更に、本実施形態では、図３（ｄ）に示すように、櫛歯６の軸部６ａが、長辺部４ａと繋がった根元部分及び先端部分の間に屈曲部６ａ１を有する。屈曲部６ａ１は図面で上に凸となるように屈曲しており、これにより、櫛歯６の根元部分における開口角度θ１を大きくしてより多くの毛髪等を挿入可能にするとともに、屈曲部６ａ１から先端部分の開口角度を小さくして、櫛歯６の先端部分が持ち上がり過ぎるのを防ぐことができる。よって、より多くの毛髪等を挿入可能なコンパクトな留め具２を提供できる。
【００４７】
更に、本実施形態では、図３（ｄ）に示すように、櫛歯６の軸部６ａの連結部材８と対向する側に凹凸部６ａ２を有する。また、図２及び図３（ｃ）、（ｄ）に示すように、連結部材８の凹凸部６ａ２と対応する位置に摩擦部材２０を備える。摩擦部材２０には、シリコンをはじめとするゴム、エラストマやウレタンといった摩擦係数の高い弾性材料を用いることができる。
例えば、チューブ状に形成された摩擦部材２０を、連結部材８を覆うように装着して、その後、摩擦部材２０を２つの短辺部４ｂ、４ｃの自由端に取り付けることにより、連結部材８に摩擦部材２０を備えることができる。ただし、これに限られるものではなく、連結部材８を取り付けた後、接着等により摩擦部材２０を連結部材８に取り付けることもできる。
【００４８】
本実施形態では、櫛歯６の軸部６ａが連結部材８に近接した閉じた状態において、凹凸部６ａ２によって確実に毛髪等を保持することができる。更に、凹凸部６ａ２及び摩擦部材２０で毛髪等を挟み込むことによって、より高い摩擦力でより確実に毛髪等を保持することができる。
更に、櫛歯６の頭部６ｂの外径が軸部６ａの外径よりも大きく形成されているので、頭部６ｂによって、毛髪等を保持する効果もある。
【００４９】
反転部材４の寸法について述べれば、厚みとして、０．５〜２ｍｍを例示することができ、長辺部４ａの長手方向の長さとして、２０〜５０ｍｍを例示することができ、短辺部４ｂ、４ｃの長手方向の長さとして、１５〜３０ｍｍを例示することができる。また、櫛歯６の長さとして、１０〜３０ｍｍを例示することができ、櫛歯６の軸部６ａの外径として、０．３〜２ｍｍを例示できる。櫛歯６の根元部分における開口角度θ１としては、４０〜８０度を例示できる。ただし、これらの寸法はかつらに適用する場合の例示であって、用途に応じて、その他の任意の寸法を採用することができる。
【００５０】
(その他の実施形態に係る留め具の説明）
次に、図４を参照しながら、本発明のその他の実施形態に係る留め具２の説明を行う。図４は、本発明のその他の実施形態に係る反転部材４及びその取り付け部材を模式的な平面図である。更に詳細に述べれば、図４は、湾曲させる前の初期状態における反転部材４、連結部材８及びワッシャ１６を模式的に示す。
【００５１】
図４に示すその他の実施形態に係る反転部材４を用いた留め具２においても、長辺部４ａを有する樹脂製の反転部材４と、長辺部４ａと一端で繋がった複数の櫛歯６と、長辺部４ａの長手方向中央部が凸となるように反転部材４が湾曲した状態を保持する連結部材８とを備え、図１（ｂ）に示す場合と同様に、長辺部４ａの長手方向中央部の厚み寸法が長手方向両端部の厚み寸法より大きく形成されている。更に、長辺部４ａの長手方向中央部の厚み寸法が長手方向両端部の厚み寸法より１５〜３５％の範囲で大きい場合が好ましく、２０〜３０％の範囲で大きい場合がより好まく、２５〜３０％の範囲で大きい場合が更に好ましい。また、長辺部４ａの厚み寸法が、長手方向両端部から長手方向中央部に向けて連続的に増加しているのが好ましい。更に、櫛歯６の構造も、図３（ｄ）に示す場合と同様とすることができる。
【００５２】
図１に示す１つの実施形態に係る反転部材４は、長辺部４ａの長手方向両端部Ｑから同じ方向に伸びた短辺部４ｂ及び短辺部４ｃを有する略コの字形の平面形状を有しているが、図４に示すその他の実施形態に係る反転部材４は、長辺部４ａの両端部から同じ方向に伸びた短辺部４ｂ及び短辺部４ｃを有するだけでなく、更に短辺部４ｂ及び短辺部４ｃの他の端部から伸びた長辺部４ｄ、４ｄ’を有する略Ｃの字形の平面形状を有する点で異なる。長辺部４ｄ及び長辺部４ｄ’の間には離間領域を有するが、図１に示す距離Ｗ１に比べれば小さい距離である。
【００５３】
本実施形態では、反転部材４を湾曲させて、離間領域の両側の長辺部４ｄ及び長辺部４ｄ’の端部が重なり合うようにして（図４の点線矢印参照）、連結部材８を用いて重ね合わされた部分を連結する。つまり、反転部材４を湾曲させて、長辺部４ｄに設けられた連結孔１４及び長辺部４ｄ’に設けられた連結穴１４の位置を一致させた状態で、連結部材８に設けられた突起部１２を両方の連結穴１４に挿入する。その後、重ね合わされた長辺部４ｄ及び長辺部４ｄ’の上から、ワッシャ１６を突起部１２にはめ込んで固定することができる。
【００５４】
これにより、図１に示す１つの実施形態と同様に、連結部材８により、長辺部４ａの長手方向中央部が凸となるように反転部材４が湾曲した状態が保持されており、連結部材８で保持された反転部材４を反転させることにより、櫛歯６が反転部材４の長辺部４ｄ、４ｄ’と近接した状態（つまり櫛歯が閉じた状態）、及び櫛歯が反転部材４の長辺部４ｄ、４ｄ’から離間した状態（つまり櫛歯が開いた状態）に変更することができる。図１に示す１つの実施形態では、櫛歯６が連結部材８と近接及び離間するが、図４に示すその他の実施形態では、櫛歯６が主に反転部材４（長辺部４ｄ、４ｄ’）と近接及び離間する。
【００５５】
本実施形態においても、櫛歯６が反転部材４（長辺部４ｄ、４ｄ’）から離間した開いた状態にした後、開いた空間に毛髪等を挿入し、その後、反転部材４を反転させて、櫛歯６が反転部材４（長辺部４ｄ、４ｄ’）と近接した状態に変更することにより、毛髪等を櫛歯６及び反転部材４（長辺部４ｄ、４ｄ’）の間に挟み込むことができる。更に、図１に示す１つの実施形態と同様に、反転部材４（長辺部４ｄ、４ｄ’）の櫛歯６の凹凸部６ａ２に対応する位置に摩擦部材２０を備えることが好ましい。
【００５６】
連結部材８による連結方法は、図４に示す場合に限られず、その他の任意の方法を用いることができる。例えば、反転部材４の長辺部４ｄ、４ｄ’の端部のどちらか一方に突起部１２が設けられ、他方に連結穴１４が設けられている場合には、長辺部４ｄ、４ｄ’の端部を重ね合わせて、突起部１２を連結穴１４に挿入することにより互いに連結することもできる。この場合には、反転部材４の長辺部４ｄ、４ｄ’に設けられた突起部１２及び連結穴１４により連結部材が構成されていることになる。つまり、連結部材は独立した１つの部材である必要はなく、複数の要素から構成される場合もあり得る。
【００５７】
＜反転部材が１つの長辺部のみを有する実施形態の説明＞
本発明に係るその他の実施形態に係る留め具として、反転部材が１つの長辺部のみを有する場合もあり得る。このとき、連結部材で反転部材を湾曲させた状態を保持した場合、反転部材の長辺部の長手方向中央部の凹凸が逆になるように反転させるとき、反転部材及び連結部材が互いに干渉しないようする必要がある。そのため、例えば、連結部材が、長辺部と長辺部の両端部から同じ方向に伸びた２つの短辺部を有する略コの字形の平面形状を有するようにすることが考えられる。更に、連結部材の長辺部に摩擦部材を備えて、櫛歯が閉じた状態で、櫛歯の軸部の凹凸部と摩擦部材とが接するようにすることが好ましい。
【００５８】
反転部材が１つの長辺部のみを有する場合も、長辺部の長手方向中央部の厚み寸法が長手方向両端部の厚み寸法より大きく形成することにより、反転部材が樹脂製であっても、反転し易くかつ反転した状態を確実に保持可能な反転部材（つまり留め具）を提供することができる。
【００５９】
（実施例の説明）
次に、図５から図７を用いて、本発明に係る留め具の実施例を説明する。図５から図７は、図２、３に示す本発明に係る１つの実施形態と同様な構造を有する留め具を示す。図５は、留め具を示す平面図（写真）であり、図６は、留め具を示す側面図（写真）であり、図７は、留め具を示す斜視図（写真）である。
図５（ａ）は、図２と同じ方向から見た平面図であり、図５（ｂ）は、その裏面側から見た平面図である。図６（ａ）〜（ｄ）は、それぞれ図３（ａ）〜（ｄ）と同様な方向から見た側面図である。なお、図３（ｃ）、（ｄ）は模式的な断面図であるが、図６（ｃ）、（ｄ）は外形を示す側面図である。図７(ａ）は、櫛歯が閉じた状態を示す斜視図であり、図７(ｂ）は、櫛歯が閉じた状態を示す斜視図である。
【００６０】
以上のような実施例により、反転部材が樹脂製であっても、反転し易くかつ反転した状態を確実に保持可能な留め具が実現できることが実証された。
【００６１】
（留め具が取り付けられたかつらの説明）
次に、図８を参照しながら、上記のような様々な実施形態に係る留め具が取り付けられたかつらについて説明する。図８は、本発明に係る留め具２が取り付けられたかつら４０を模式的に示す平面図である。
【００６２】
図８では、２つの留め具２が、かつらベース３０の裏面側（使用者の頭部に接する側）に取り付けられているところを示す。特に、かつらベース３０の周縁部の近傍であって、使用者の耳の前（こめかみ）の領域に取り付けられている。なお、かつらベース３０に取り付ける留め具２の数は、２つに限らず、用途に応じて任意の数を取り付けることができる。
留め具２をかつらベース３０に取り付ける方法として、留め具２に設けられた複数の取付用穴２４に縫い糸を通して、かつらベース３０に縫い付けることが考えられる。ただし、これに限られるものではなく、他の連結部材を用いることをはじめ、既知の任意の方法で留め具２をかつらベース３０に取り付けることができる。
【００６３】
このようなかつらベース３０に擬毛３２が植設されてかつら４０が形成される。使用者が、このかつら４０を装着するときは、かつらベース３０を頭部に装着した後、耳の前（こめかみ）の領域にある留め具２の櫛歯を開く状態にして、使用者の毛髪を櫛歯と反転部材との間に挿入した後、反転部材を反転させて、毛髪を櫛歯と反転部材との間で挟み込んで保持させる。これにより、かつら４０を安定して頭部に固定することができる。
【００６４】
本発明に係る留め具は、上述のかつらベースを固定する用途だけでなく、固定する対象物を櫛歯と反転部材（または連結部材）の間に挿入させ、反転部材を反転させて、反転部材の弾性力で対象物を挟み込んで固定するものであれば、その他の任意の分野で適用することができる。
本発明の実施の形態を説明したが、開示内容は構成の細部において変化してもよく、実施の形態における要素の組合せや順序の変化等は請求された本発明の範囲および思想を逸脱することなく実現し得るものである。    
【符号の説明】
【００６５】
２          留め具
４          反転部材
４ａ        長辺部
４ｂ、４ｃ  短辺部
４ｄ、４ｄ’ 長辺部
６          櫛歯
６ａ        軸部
６ａ１      屈曲部
６ａ２      凹凸部
６ｂ        頭部
８          連結部材
１２        突起部
１４        連結穴
１６        ワッシャ
２０        摩擦部材
２４        取付用穴
３０        かつらベース
３２        擬毛
４０        かつら
Ｐ          長手方向中央部
Ｑ          長手方向両端部
Ｔ１        長辺部の長手方向中央部の厚み寸法
Ｔ２        長辺部の長手方向両端部の厚み寸法
Ｘ          長辺部の長手方向
Ｙ          短辺部の長手方向
【要約】
【課題】  樹脂製の反転部材を有する場合であっても、反転し易く、かつ反転した状態を確実に保持可能な留め具を提供する。  
【解決手段】  長辺部４ａを有する樹脂製の反転部材４と、長辺部４ａと一端で繋がった複数の櫛歯６と、長辺部４ａの長手方向中央部が凸となるように反転部材４が湾曲した状態を保持する連結部材８と、を備え、連結部材８で保持された反転部材４の反転により、櫛歯６が反転部材４または連結部材８と近接した状態及び離間した状態に変更され、長辺部４ａの長手方向中央部Ｐの厚み寸法Ｔ１が長手方向両端部Ｑの厚み寸法Ｔ２より大きく形成されている留め具２を提供する。
【選択図】  図１【図１】
0005997853.tif 000002
【図２】
0005997853.tif 000003
【図３】
0005997853.tif 000004
【図４】
0005997853.tif 000005
【図５】
0005997853.tif 000006
【図６】
0005997853.tif 000007
【図７】
0005997853.tif 000008
【図８】
0005997853.tif 000009
【図９】
0005997853.tif 000010